(57)【要約】【課題】可逆変色する絵柄や記号あるいは文字等を切り抜いて貼り付けることにより、被貼着対象物上に、美感、趣味感または新鮮さの高いデザインを付与可能にする。【解決手段】周辺環境の明るさまたは温度の変化に伴って可逆変色する可逆変色塗料がシート素材１の一面側に印刷され、シート素材１の他面側にホットメルト層２が塗布され、ホットメルト層２を介してシート素材１上に剥離シート３が貼着された構成であって、所定形状に切り抜きかつ剥離シート３を剥離したシート素材１を、ホットメルト層２を介し被貼着対象物に貼着可能にした構成である。【選択図】図１
0003136331.tif 000002
【実用新案登録請求の範囲】
【請求項１】
周辺環境の明るさまたは温度の変化に伴って可逆変色する可逆変色塗料が一面側に印刷されたシート素材と、
該シート素材の他面側に塗布されたホットメルト層と、
該ホットメルト層を介して前記シート素材上に貼着された剥離シートと、
の積層体からなり、
該積層体を所定形状に切り抜きかつ前記剥離シートを剥離した前記シート素材が、前記ホットメルト層を介し被貼着対象物に貼着されるように使用されることを特徴とするカット絵材料。
【請求項２】
前記剥離シートには、所定の絵柄や記号あるいは文字を切り抜くための切り抜き線が印刷されていることを特徴とする請求項１に記載のカット絵材料。
【請求項３】
前記シート素材が、柔軟なシート素材であることを特徴とする請求項１に記載のカット絵材料。
【考案の詳細な説明】
【技術分野】
【０００１】  本考案は、衣類等の被貼着対象物に貼り付けることにより、その被貼着対象物の表面に可逆変色する絵柄や記号あるいは文字等を表出可能にするカット絵材料に関する。
【背景技術】
【０００２】  従来から、Ｔシャツなどの衣料品には、種々の絵柄（商標を含む）や記号あるいはメーカ名を表す文字などがカラー塗料の印刷により表示されている。また、前記絵柄や記号あるいは文字等は色彩が異なる塗料の印刷によって、所定のデザインに塗り分けられるものもある。
このような塗料の印刷等によって、Ｔシャツなどの衣料品を含む被貼着対象物上に美的造形、デザインを施し、商品価値ならびにファッション性を高めることができるとともに、消費者の購買意欲を促進することができる。【０００３】  ところで、前記Ｔシャツ上の絵柄や記号あるいは文字などの表示形態は常時一定で変化がなく、着用期間の経過とともに、購入当初に得られたデザインの新しさや着色による美感、趣味感が次第に得られなくなり、着用者本人も次第に飽きを感じるようになる。【０００４】  これに対し、熱変色材料や光変色材料を含む塗料を布地などの被貼着対象物上に印刷することによって、可逆変色する絵柄や記号あるいは文字をＴシャツなどの被貼着対象物上に表出可能にしたものを、本出願人は、例えば特許文献１に提案している。これによれば、周辺環境の明るさや温度の変化によって前記絵柄や記号あるいは文字等の色を変化させることができるため、前記Ｔシャツ等の前記被貼着対象物のデザインに、美感または趣味感に変化または新鮮さを付与することができる。
【特許文献１】特開２００３−０７３９０４号公報
【考案の開示】
【考案が解決しようとする課題】
【０００５】  しかしながら、熱変色材料や光変色材料を含む前記可逆変色塗料をＴシャツなどの被貼着対象物に印刷するには、例えばシルクスクリーン印刷技術を使って一枚一枚のＴシャツなどに対し印刷を行う必要があり、この印刷に要する設備、作業が大掛かりとなるほか、コストが高いものについてしまう。【０００６】  また、この印刷は、資本力がある事業者には容易に実施可能であるが、小学生などの児童を含む一般ユーザには経済上、技術上の負担が大きいため、ユーザ自身がデザインした絵柄等をＴシャツ等に簡単に印刷することができるというものではない。つまり、一般ユーザが前記可逆変色塗料によりデザインしたＴシャツを製作することができない。【０００７】  本考案は前記のような従来の問題点に着目してなされたものであり、誰もが専用のカッティングマシンを使用して、または一般ユーザが鋏などを用いて、任意に創作または選択したデザインの絵柄や記号あるいは文字等を切り抜いてＴシャツなどの被貼着対象物に貼り付けるという簡単な作業のみで、前記絵柄等が可逆変色することによって、これまでにない美感や趣味感をその被貼着対象物上に付与することを可能にするカット絵材料を提供することを目的とする。
【課題を解決するための手段】
【０００８】  前記目的達成のために、本考案にかかるカット絵材料は、周辺環境の明るさまたは温度の変化に伴って可逆変色する可逆変色塗料が一面側に印刷されたシート素材と、該シート素材の他面側に塗布されたホットメルト層と、該ホットメルト層を介して前記シート素材上に貼着された剥離シートと、の積層体からなり、該積層体を所定形状に切り抜きかつ前記剥離シートを剥離した前記シート素材を、前記ホットメルト層を介し被貼着対象物に貼着するように使用されることを特徴とする。【０００９】  この構成により、一般ユーザでも、積層シートを任意形状に切り抜き、前記形状のシート素材を、剥離シートを剥離した後で衣料品などの被貼着対象物に容易に貼り付けることができる。また、このように貼り付けたシート素材上の塗料が、同一または異なった可逆変色塗料であるため、各塗料を周辺環境の明るさまたは温度に応じた色に変化させることができ、被貼着対象物に異なったデザインの絵柄や記号あるいは文字等を表出することができる。【００１０】  また、本考案にかかるカット絵材料は、前記剥離シートに、所定の絵柄や記号、あるいは文字を切り抜くための切り抜き線が印刷されていることを特徴とする。
この構成により、専用のカットマシンを持たない子供でも、前記切り抜き線に沿って鋏やハンドカッターで積層シートを切り抜くことができるとともに、剥離層から剥離したシート素材を被貼着対象物に貼り付けることができる。従って、ユーザ自身が作製しまたは選んだ絵柄や記号あるいは文字等を非貼着対象物上に表出することができる。この場合において、前記切り抜き線は、複数の絵柄のイメージを含むものとすることで、いずれかの絵柄に対応する切り抜き線をユーザが選んで、希望する絵柄等の切抜きを簡単、迅速に行うことができる。【００１１】  また、本考案にかかるカット絵材料は、前記シート素材が、柔軟なシート素材であることを特徴とする。
この構成により、シート素材を被貼着対象物の凹凸面や角部に馴染むように密着させることができ、これらの各部分での塗料の可逆変色効果をさらに複雑化、多様化することができる。
【考案の効果】
【００１２】  本考案によれば、何人も積層シートを任意形状に切り抜き、前記シート素材を、剥離シートを剥離した後で衣料品などの被貼着対象物に容易に貼り付けることができる。また、このように貼り付けたシート素材上の塗料が可逆変色塗料であるため、各塗料を周辺環境の明るさまたは温度に応じた色に変化させることができ、被貼着対象物に異なったデザインの絵柄や記号あるいは文字を表出することができるという効果が得られる。
【考案を実施するための最良の形態】
【００１３】  以下に、本考案の実施の形態を、図面を参照しながら説明する。
図１は、本考案の実施の形態によるカット絵材料を示す断面図である。
図１において、カット絵材料Ａは、柔軟性のあるシート素材１と、このシート素材１の片面（一面）に付着されたホットメルト樹脂またはホットメルト樹脂フィルムなどのホットメルト層２と、このホットメルト層２を介して、前記シート素材１に貼着された剥離シート（剥離フィルム）３と、前記シート素材１の一面（上面）に印刷された可逆変色塗料層４と、を備えている。【００１４】  これらのうち、シート素材１は、円弧面や屈曲面にも馴染み易く、強靭で柔軟性がある例えば合成皮革が、コピー用紙の国際規格（ＩＳＯ）または国内規格（ＪＩＳ）と同等のサイズに裁断されたものからなる。ここで、国際規格は、ドイツ国のＤＩＮ規格を基本としたＡ３〜Ａ５サイズ等であり、国内規格は、Ｂ３〜Ｂ５サイズ等である。【００１５】  本実施の形態では、前記カット絵材料Ａは、専用のカッティングマシンによって切り抜きが可能な、例えば前記コピー用紙のサイズと同等のサイズとされる。前記合成皮革としては、例えば、エクセーヌ（東レ株式会社の商品名）やラムース（株式会社旭化成の商品名）などが用いられる。【００１６】  前記ホットメルト層２を構成するホットメルト樹脂としては、シート素材１および被貼着対象物に熱圧着可能であれば、特に限定されるものではなく、例えば熱可塑性ポリウレタン、スチレン／エチレン／ブチレン共重合体、エチレン／酢酸ビニル熱可塑性エラストマー等からなる接着材が用いられる。このホットメルト層２の層厚は、接着力の不足または接着材の食み出しを回避できる粘度で、例えば５０〜１５０μｍとすることが望ましいが、本実施の形態では特にこの値に限定されない。【００１７】  また、剥離シート３は、ホットメルト層２から剥離可能であれば特に材質については限定されないが、例えばポリプロピレン、ポリ塩化ビニル、ポリカーボネート，ポリエチレンテレフタレートなどが用いられる。この剥離シート３は、専用のカッティングマシンまたは通常の鋏で絵柄などの切抜きが正確に行えるように、所定の硬さ、厚みを持つ。【００１８】  さらに、この剥離シート３には、必要に応じ、カット絵材料Ａから所定の絵柄や記号あるいは文字等を切り抜くための切り抜き線が印刷される。図２は、この切り抜き線Ｌが、例えば絵柄としての円、四角、三角、山、魚、船や、記号としてのハート、ダイヤのマークや、文字Ａなどを形取った線で示してある。この切り抜き線Ｌは、複数の絵柄数分重ねるようにして、または別々に分けるようにして設けることができ、ユーザはこれらのいずれかの絵柄対応の切り抜き線Ｌを選んで、この切り抜き線Ｌに沿ってその絵柄等を切り抜くことができる。【００１９】  剥離シート３にこのような切り抜き線Ｌが無い場合でも、ユーザ自身が作成した絵柄対応で任意に切抜きをすることもできる。また、コンピュータの制御下で、専用のカッティングマシンおよび業者が提供するアプリケーションを用いて、予め定められた絵柄等に切り抜くこともできる。【００２０】  前記可逆変色塗料層４は、周辺環境の明るさの変化に従って可逆変色するフォトクロミック分子を含む塗料や、周辺環境の温度の変化に伴って可逆変色する液晶発色材や示温組成物の微粒子をマイクロカプセルに入れたものを合成樹脂バインダと��合した塗料を、それぞれシート素材１上に、絵柄や記号あるいは文字等を表すように印刷または塗着した層である。【００２１】  前記フォトクロミック分子には、例えばイオン解離によって無色から青紫色または赤紫色に変化するスピロピラン、トランスーシス異性化によって紫色から赤に変化するチオインジゴ、電子環状反応によって無色から桃色に変化するフルギドなどがある。【００２２】  前記示温組成物の微粒子を含む示温塗料には、例えばハロゲン化物の結晶移転による変色を利用する顔料とアクリル樹脂ワニスなどを含む塗料などがある。前記液晶発色材には、例えばコステリック液晶があり、このコステリック液晶を含む赤色の塗料は、周辺環境の温度が例えば２０℃を超えるとマゼンタに変化する。【００２３】  前記可逆変色塗料層４は、シート素材１の一面の全体にまたは一面の複数箇所に、同一または異なる形状または色彩で印刷または塗布されている。この場合において、可逆変色塗料層４を、隣り合うものどうしの間隔ができるだけ狭い小径のドットとすることもできる。
図示しないが、前記可逆変色塗料層４の上面には、出荷時や出荷後における損傷や汚損を防止するため、貼着力が弱い粘着材を介して透明の剥離可能なカバーシート等を貼り付けることができる。【００２４】  前記構成のカット絵材料Ａは、一般に業者が提供するものであり、ユーザはこのカット絵材料Ａを購入して、専用のカッティングマシンを用い、所定の絵柄や記号あるいは文字等を切り抜く。専用のカッティングマシンは、業者が提供するアプリケーションを使用して、パソコンが作る絵柄や記号あるいは文字を自動的に切り抜く。【００２５】  これに対して、専用のカッティングマシンを持たない一般ユーザや子供は、剥離シート３上に印刷された切り抜き線Ｌに沿って、所定の絵柄や記号あるいは文字等を前記カット絵材料Ａから切り抜く。なお、ユーザ自身がデザインした絵柄や記号あるいは文字を、家庭用の鋏で切り抜いて用いることもできる。【００２６】  かかる構成になるカット絵材料Ａを被貼着対象物に貼着する手順を説明する。
まず、図１に示すカット絵材料Ａを用意し、所定の形状、サイズの絵柄や記号あるいは文字等を切り抜く。この切抜きは、前述のように、専用のカッティングマシンを用いて、コンピュータの制御下で所定のアプリケーションが提供する絵柄や記号（例えば、ハートマーク）あるいは文字に倣うように行われる。
また、一般ユーザが鋏を使って、自身が作成した絵柄等の輪郭に倣って、あるいは剥離シート３に印刷された切り抜き線Ｌに沿って、その絵柄等を切り抜く。【００２７】  次に、このようにして切り抜かれたカット絵材料Ａの剥離シート３を指で摘むなどしてホットメルト層２から剥離し、このホットメルト層２を被貼着対象物であるＴシャツなどの衣料品や、図３および図４に示すようなハンドバッグ５や靴６などに当接するようにして、貼り付ける。【００２８】  この貼り付けは、前記カバーシート上から加熱した家庭用アイロン等を押し当て、ホットメルト層２を過熱溶融することによりなされ、その後放置冷却することで、迅速、容易に行われる。このため、抜き取られた絵柄や記号あるいは文字等を持つシート素材１ａは、前記ハンドバッグ５あるいは靴６の所定位置に密着される。【００２９】  続いて、そのシート素材１ａ上の可逆変色塗料層４を被う前記カバーシートを分離（剥離）する。これにより絵柄や記号あるいは文字などを表した可逆変色塗料層４が、ハンドバッグ５あるいは靴６の表面に密着され、図３および図４に示すような装飾的デザインを施すこととなる。【００３０】  なお、シート素材１に柔軟な前記エクセーヌやラムースと呼ばれる合成皮革を用いることで、前記衣料品や身装品等に限らず、建築物の外壁や室内の壁面、階段、その他種々の物体の曲面や屈曲面に貼り付けることも可能である。【００３１】  従って、あらゆる被貼着対象物に貼り付けられたシート素材１では、可逆変色塗料層４がフォトクロミック分子を含む塗料である場合には、日中の明るい環境において、例えば無色とされた部分が前述のように青紫色や赤紫色に変化し、夜間などの暗い環境では青紫色や赤紫色から無色に変化する。【００３２】  また、前記可逆変色塗料層４が液晶発色材や示温組成物の微粒子を含む塗料である場合には、例えば１６℃を超えると黄色を緑色に、１８℃を超えるとオレンジ色を赤色に、２０℃を超えると赤色をマゼンタに、２２℃を超えるとマゼンタを紫色に、それぞれ変化させることができる。【００３３】  これにより、前記Ｔシャツなどの衣料品のほか、前記ハンドバッグ５あるいは靴６などの表面に、周辺環境の明るさや温度によって絵柄の色が変化するという、さらに優れた装飾的デザインを付与することができる。このような被貼着対象物に対する可逆変色装飾のための作業は、業者のみでなく、一般ユーザでも前記カット絵材料Ａを切り抜いて、前記ハンドバッグ５などの被貼着対象物表面に貼り付けるという簡単な作業にて実施可能となる。【００３４】  このように、本実施の形態では、周辺環境の明るさまたは温度の変化に伴って可逆変色する可逆変色塗料が一面側に印刷されたシート素材１と、シート素材１の他面側に塗布されたホットメルト層２と、ホットメルト層２を介してシート素材１上に貼着された剥離シート３と、の積層体からなり、この積層体を所定形状に切り抜きかつ剥離シート３を剥離したシート素材１を、ホットメルト層２を介し被貼着対象物に貼着するように使用される構成であるため、誰もが専用のカッティングマシンを使用して、または一般ユーザが鋏などを用いて、任意に創作または選択したデザインの絵柄や記号あるいは文字��を切り抜いて貼り付けるという簡単な作業で、被貼着対象物上に、可逆変色することによるデザイン上の美感、趣味感または新鮮さを付与することができることとなる。
【産業上の利用可能性】
【００３５】  本考案のカット絵材料は、任意に創作または選択した可逆変色する絵柄や記号あるいは文字等を切り抜いて被貼着対象物上に貼り付けるのみで、非貼着対象物上に美感、趣味感または新鮮さを持つデザインを表現できるという効果を有し、被貼着対象物の表面に明るさや温度によって色が変化する絵柄や記号あるいは文字等を表出可能にするカット絵材料等に有用である。
【図面の簡単な説明】
【００３６】
【図１】  本考案の実施の形態によるカット絵材料を示す断面図である。
【図２】  図１における剥離シート上の切り抜き線を示す説明図である。
【図３】  図１におけるシート素材が貼着されたハンドバッグを示す斜視図である。
【図４】  図１におけるシート素材が貼着された靴を示す斜視図である。
【符号の説明】
【００３７】  １  シート素材
１ａ  切り抜かれたシート素材
２  ホットメルト層
３  剥離シート
４  可逆変色塗料層
５  ハンドバッグ（被貼着対象物）
６  靴（被貼着対象物）
Ａ  カット絵材料
Ｌ  切り抜き線
【図１】
0003136331.tif 000003
【図２】
0003136331.tif 000004
【図３】
0003136331.tif 000005
【図４】
0003136331.tif 000006